(57)【要約】【課題】電子情報であるオブジェクトを受信装置で受信するとき、送信装置側で受信装置内の格納場所を個別に指定することができない場合には、受信装置の一つの記憶場所に受信したすべてのオブジェクトが格納されてしまい、後の分類や整理の作業が困難である。本発明はこれらの問題を解消するオブジェクト受信装置、オブジェクト管理方法およびオブジェクト通信システムを提供することを目的とする。【解決手段】ネットワークに接続された送信装置と、オブジェクト受信のためのコネクションを設定されるごとに新たな記憶領域を設定し、コネクションごとに該記憶領域を分けることで、該コネクションが設定されている間に受信されたオブジェクトを他のコネクションで受信したオブジェクトとは区別して記憶する受信装置とする。【選択図】　図２
2004094760.tif 000002
【特許請求の範囲】
【請求項１】
ネットワークに接続された他の通信装置との間に、電子情報であるオブジェクトを受信するためのコネクションを設定するコネクション設定手段と、
前記設定されたコネクションを介して受信したオブジェクトを記憶するための記憶手段と、
新たなコネクションが設定された場合には、前記記憶手段上に当該新たなコネクションを介して受信するオブジェクトを記憶するための新たな記憶領域を設定するとともに、当該記憶領域に関する情報を保持することにより、複数のコネクションのそれぞれに対応した複数の記憶領域を設定する管理手段とを備えたことを特徴とするオブジェクト受信装置。
【請求項２】
ネットワークに接続された他の通信装置との間に、電子情報であるオブジェクトを受信するためのコネクションを設定するコネクション設定手段と、
前記設定されたコネクションを介して受信したオブジェクトを記憶するための記憶手段と、
新たなコネクションが設定され、かつ該新たに設定されたコネクションを介して複数のオブジェクトを受信した場合には、前記記憶手段上に当該新たなコネクションを介して受信するオブジェクトを記憶するための新たな記憶領域を設定するとともに、当該記憶領域に関する情報を保持することにより、複数のコネクションのそれぞれに対応した複数の記憶領域を設定する管理手段とを備えたことを特徴とするオブジェクト受信装置。
【請求項３】
時刻情報を提供する時刻情報提供手段をさらに備え、
前記管理手段は、前記新たな記憶領域を作成するときには、前記新たな記憶領域を、前記時刻情報提供手段から得られた時刻情報に基づいた名前で作成することを特徴とする、請求項１または請求項２に記載のオブジェクト受信装置。
【請求項４】
前記管理手段は、前記新たな記憶領域を作成するときには、前記新たな記憶領域を、当該コネクションを介して受信した最初のオブジェクトの名前の情報に基づいた名前で作成することを特徴とする、請求項１または請求項２に記載のオブジェクト受信装置。
【請求項５】
ネットワークに接続された他の通信装置からオブジェクト受信のためのコネクションが設定された時刻を記憶する、コネクション設定時刻記憶手段をさらに備え、
前記管理手段は、前記新たな記憶領域を作成するときには、前記新たな記憶涼気を、前記コネクション設定時刻記憶手段から得られた時刻情報に基づいた名前で作成することを特徴とする、請求項１または請求項２に記載のオブジェクト受信装置。
【請求項６】
ネットワークに接続された他の通信装置からオブジェクトを受信するとき、Ｂｌｕｅｔｏｏｔｈ通信規格に規定されたＢａｓｉｃ　Ｉｍａｇｉｎｇ　Ｐｒｏｆｉｌｅに基づいて通信されることを特徴とする、請求項１または請求項２に記載のオブジェクト受信装置。
【請求項７】
ネットワークに接続された他の通信装置との間に、電子情報であるオブジェクトを受信するためのコネクションを設定し、
新たなコネクションが設定された場合には、前記受信したオブジェクトの格納部に当該新たなコネクションを介して受信するオブジェクトを記憶するための新たな記憶領域を設定するとともに、当該記憶領域に関する情報を保持し、複数のコネクションのそれぞれに対応した複数の記憶領域を設定することを特徴とするオブジェクト受信装置のオブジェクト管理方法。
【請求項８】
ネットワークに接続された他の通信装置との間に、電子情報であるオブジェクトを受信するためのコネクションを設定し、
新たなコネクションが設定され、かつ該新たに設定されたコネクションを介して複数のオブジェクトを受信した場合には、前記受信したオブジェクトの格納部に当該新たなコネクションを介して受信するオブジェクトを記憶するための新たな記憶領域を設定するとともに、当該記憶領域に関する情報を保持し、複数のコネクションのそれぞれに対応した複数の記憶領域を設定することを特徴とするオブジェクト受信装置のオブジェクト管理方法。
【請求項９】
ネットワークに接続された他の通信装置からオブジェクトを受信するとき、Ｂｌｕｅｔｏｏｔｈ通信規格に規定されたＢａｓｉｃ　Ｉｍａｇｉｎｇ　Ｐｒｏｆｉｌｅに基づいて通信されることを特徴とする、請求項７または請求項８に記載のオブジェクト管理方法。
【請求項１０】
電子情報であるオブジェクトを、ネットワークを介して送信するオブジェクト送信装置と、該送信されたオブジェクトを、ネットワークを介して受信するオブジェクト受信装置とを備えたオブジェクト通信システムであって、
前記オブジェクト送信装置は、
オブジェクトの送信のために使用する前記オブジェクト受信装置との間のコネクションの設定を要求し、該コネクションを介して前記オブジェクト受信装置にオブジェクトを送信するオブジェクト送信手段を備え、
前記オブジェクト受信装置は、
前記オブジェクト送信装置との間に、電子情報であるオブジェクトを受信するためのコネクションを設定するコネクション設定手段、
前記設定されたコネクションを介して受信したオブジェクトを記憶するための記憶手段、
前記記憶手段の管理を行う管理手段とを備え、
前記オブジェクト送信装置がオブジェクトの送信のために新たなコネクションを設定するごとに、前記オブジェクト受信装置は、前記記憶手段上に当該新たなコネクションを介して受信するオブジェクトを記憶するための新たな記憶領域を設定するとともに、当該記憶領域に関する情報を保持し、前記オブジェクト送信装置から該オブジェクトの記憶領域について指示を受けることなく、複数のコネクションのそれぞれに対応した複数の記憶領域を設定することを特徴とするオブジェクト通信システム。
【請求項１１】
前記オブジェクト送信装置と前記オブジェクト受信装置との間の通信は、Ｂｌｕｅｔｏｏｔｈ通信規格に規定されたＢａｓｉｃ　Ｉｍａｇｉｎｇ　Ｐｒｏｆｉｌｅに基づく通信であることを特徴とする、請求項１０に記載のオブジェクト通信システム。
【発明の詳細な説明】
【０００１】
【発明の属する技術分野】
本発明は、通信によって画像情報等のオブジェクトを受信するオブジェクト受信装置と、オブジェクト受信装置で受信した当該オブジェクトを管理するオブジェクト管理方法、およびこれらを利用したオブジェクト通信システムに関する。
【０００２】
【従来の技術】
ＰＤＡ（Ｐｅｒｓｏｎａｌ　Ｄｉｇｉｔａｌ　Ａｓｓｉｓｔａｎｃｅ）などに代表される携帯可能な情報機器の発展がめざましい。昨今では携帯電話や家電機器なども高機能化し、ネットワークと接続されることによってさらなる利用分野を広げている。
【０００３】
比較的近距離で行われるパーソナルな範囲を対象とした小規模通信を実現することを主として規定されたＢｌｕｅｔｏｏｔｈ（ＴＭ）と呼ばれる通信規格がある。Ｂｌｕｅｔｏｏｔｈは数１０メートルという比較的近距離で用いられる通信規格である。そのため消費する電力量は低く抑えられており、かつ通信装置自体は０．５平方インチ程度の大きさであることから小型の携帯情報機器などに搭載するのに適している。さらに製造コストも低く抑えることができるという利点を有する。Ｂｌｕｅｔｏｏｔｈ規格の詳細な仕様は　ｈｔｔｐ：／／ｗｗｗ．ｂｌｕｅｔｏｏｔｈ．ｏｒｇより入手可能である。
【０００４】
Ｂｌｕｅｔｏｏｔｈ規格では無線デバイスの規格のみならず、そのデバイス上で使用される通信プロトコルやこれを利用するアプリケーションのモデルまでも規定している。このうちアプリケーションモデルの仕様はプロファイル（Ｐｒｏｆｉｌｅ）と呼ばれている。プロファイルには、その利用場面に応じていくつものプロファイルが存在するが、その中にたとえば静止画像の交換を目的として規定されたものがある。これは一般に「Ｂａｓｉｃ　Ｉｍａｇｉｎｇ　Ｐｒｏｆｉｌｅ」と呼ばれているプロファイルである。
【０００５】
Ｂａｓｉｃ　Ｉｍａｇｉｎｇ　Ｐｒｏｆｉｌｅとして規定されたプロファイルでは、その通信プロトコルとしてＩｒＯＢＥＸ（Ｉｎｆｒａｒｅｄ　Ｄａｔａ　Ａｓｓｏｓｉａｔｉｏｎ　Ｏｂｊｅｃｔ　Ｅｘｃｈａｎｇｅ　Ｐｒｏｔｏｃｏｌ）を使用することとなっている。ＩｒＯＢＥＸの詳細は「Ｉｎｆｒａｒｅｄ　Ｄａｔａ　Ａｓｓｏｓｉａｔｉｏｎ，ＩｒＤＡ　Ｏｂｊｅｃｔ　Ｅｘｃｈａｎｇｅ　Ｐｒｏｔｏｃｏｌ　ｗｉｔｈ　Ｐｕｂｌｉｓｈｅｄ　Ｅｒｒａｔａ，Ｖｅｒｓｉｏｎ　１．２，Ａｐｒｉｌ　１９９９」などに詳しい。以降、Ｂｌｕｅｔｏｏｔｈで使用されるときのＩｒＯＢＥＸは単にＯＢＥＸと呼ぶこととし、赤外線通信（たとえばＩｒＤＡなど）を前提として規定されているＩｒＯＢＥＸとは区別して表記する。
【０００６】
ＯＢＥＸで規定されているコマンドはおおむね次のものを備えている。
通信相手と接続／切断を行うＣｏｎｎｅｃｔ／Ｄｉｓｃｏｎｎｅｃｔ、ファイルなどのオブジェクトの送信／受信を行うＰｕｔ／Ｇｅｔ、受信機器側の受信先パス（カレントパス）を変更するＳｅｔＰａｔｈ、そしてオブジェクトの送信や受信を強制的に中断するＡｂｏｒｔである。
【０００７】
ＯＢＥＸで規定された通信では、コマンドを要求する側の機器をクライアント、その要求に応じて応答を返す側をサーバと呼ぶ。通常、クライアント側の機器がサーバ側の機器に対してＰｕｔ／Ｇｅｔなどのコマンドを発行する。
【０００８】
たとえば接続が確立された後で、クライアントからサーバにファイルなどのオブジェクトを送信（Ｐｕｔ）した場合を考える。これを受けたサーバ側の機器は、自機内の現在受信場所となっているところ（カレントパス）に、受信したファイルなどのオブジェクトを格納する。このとき、クライアント側の機器の指示で受信場所を変更する必要があれば、前出のＳｅｔＰａｔｈコマンドをサーバ側の機器に発行し、これに応じてサーバ側の機器はクライアントから受信したファイル等の受信場所を変更するように働く。このように送信元であるクライアント側の機器がサーバ側の受信場所を適切に選択できるようにすると、サーバ側の特定の場所に全部のファイル等のオブジェクトが格納されてしまうこともなく、受信後にサーバ側でファイル等の分類や整頓を容易にすることができる。
【０００９】
特許文献１にあげた発明では、ファイルなどのオブジェクト情報の格納場所としてフォルダを使用し、画像ファイルの入出力を行う携帯情報端末の一例が開示されている。
【００１０】
しかしながらＢｌｕｅｔｏｏｔｈ規格で規定されているＢａｓｉｃ　Ｉｍａｇｉｎｇ　Ｐｒｏｆｉｌｅ（特にＶｅｒｓｉｏｎ１．０）では、ＯＢＥＸを使用するよう規定されているものの既述したＯＢＥＸのＳｅｔＰａｔｈに相当するコマンドが規定されていない。
【００１１】
よってＢａｓｉｃ　Ｉｍａｇｉｎｇ　Ｐｒｏｆｉｌｅを使用して複数のオブジェクトの送受信を行う限り、所定の受信場所にすべてのオブジェクトが格納されることとなり、受信したオブジェクトの分類や整頓が極めて煩雑となる結果を招く。
【００１２】
【特許文献１】特開２００２−２４０６４公報
【００１３】
【非特許文献１】Ｂｌｕｅｔｏｏｔｈ　ＳＩＧ，　Ｉｎｃ．　−　Ｍｅｍｂｅｒ　Ｗｅｂ　Ｓｉｔｅ　［平成１４年８月２１日検索］、インタネット＜　ＵＲＬ　ｈｔｔｐ：／／ｗｗｗ．ｂｌｕｅｔｏｏｔｈ．ｏｒｇ　＞
【００１４】
【非特許文献２】Ｉｎｆｒａｒｅｄ　Ｄａｔａ　Ａｓｓｏｓｉａｔｉｏｎ，ＩｒＤＡ　Ｏｂｊｅｃｔ　Ｅｘｃｈａｎｇｅ　Ｐｒｏｔｏｃｏｌ　ｗｉｔｈ　Ｐｕｂｌｉｓｈｅｄ　Ｅｒｒａｔａ，Ｖｅｒｓｉｏｎ　１．２，Ａｐｒｉｌ　１９９９
【００１５】
【発明が解決しようとする課題】
本発明は上記したような、Ｂａｓｉｃ　Ｉｍａｇｉｎｇ　Ｐｒｏｆｉｌｅ等の送信側で格納場所を指定することができない通信環境において、受信側で受信したオブジェクトが受信側で定められた一つの記憶領域にすべて格納されてしまうという問題を解消するオブジェクト受信装置、オブジェクト管理方法およびオブジェクト通信システムを提供することを目的とする。
【００１６】
【課題を解決するための手段】
本発明にかかるオブジェクト受信装置とすれば、
ネットワークに接続された他の通信装置との間に、電子情報であるオブジェクトを受信するためのコネクションを設定するコネクション設定手段と、
前記設定されたコネクションを介して受信したオブジェクトを記憶するための記憶手段と、
新たなコネクションが設定された場合には、前記記憶手段上に当該新たなコネクションを介して受信するオブジェクトを記憶するための新たな記憶領域を設定するとともに、当該記憶領域に関する情報を保持することにより、複数のコネクションのそれぞれに対応した複数の記憶領域を設定する管理手段とを備えたことを特徴とするオブジェクト受信装置
が提供される。
【００１７】
また本発明にかかるオブジェクト管理方法であれば、
ネットワークに接続された他の通信装置との間に、電子情報であるオブジェクトを受信するためのコネクションを設定し、
新たなコネクションが設定された場合には、前記受信したオブジェクトの格納部に当該新たなコネクションを介して受信するオブジェクトを記憶するための新たな記憶領域を設定するとともに、当該記憶領域に関する情報を保持し、複数のコネクションのそれぞれに対応した複数の記憶領域を設定することを特徴とするオブジェクト受信装置のオブジェクト管理方法
が提供される。
【００１８】
また、電子情報であるオブジェクトを、ネットワークを介して送信するオブジェクト送信装置と、該送信されたオブジェクトを、ネットワークを介して受信するオブジェクト受信装置とを備えたオブジェクト通信システムであって、
前記オブジェクト送信装置は、
オブジェクトの送信のために使用する前記オブジェクト受信装置との間のコネクションの設定を要求し、該コネクションを介して前記オブジェクト受信装置にオブジェクトを送信するオブジェクト送信手段を備え、
前記オブジェクト受信装置は、
前記オブジェクト送信装置との間に、電子情報であるオブジェクトを受信するためのコネクションを設定するコネクション設定手段、
前記設定されたコネクションを介して受信したオブジェクトを記憶するための記憶手段、
前記記憶手段の管理を行う管理手段とを備え、
前記オブジェクト送信装置がオブジェクトの送信のために新たなコネクションを設定するごとに、前記オブジェクト受信装置は、前記記憶手段上に当該新たなコネクションを介して受信するオブジェクトを記憶するための新たな記憶領域を設定するとともに、当該記憶領域に関する情報を保持し、前記オブジェクト送信装置から該オブジェクトの記憶領域について指示を受けることなく、複数のコネクションのそれぞれに対応した複数の記憶領域を設定することを特徴とするオブジェクト通信システム
が提供される。
【００１９】
【発明の実施の形態】
（第１の実施形態）
図１に第１の実施形態におけるオブジェクト通信システムの構成の一例を示す。同システムはサーバ機器１とクライアント機器９からなり、クライアント機器９はサーバ機器１に対してオブジェクトを送信する機能を有する。ここでいうオブジェクトとは静止画像等のファイルの形で電子的に通信可能な個々の情報を指す。
【００２０】
主にクライアント機器９がサーバ機器１に対してオブジェクトを送信する旨の要求を発することにより、サーバ機器１がクライアント機器９から送信されたオブジェクトを受信して、これをサーバ機器１内部の所定の場所に格納する。この構成においてサーバ機器１はクライアント機器９から送信されるオブジェクトの受信装置として機能する。
【００２１】
サーバ機器１はクライアント機器９からのオブジェクト送信要求等の要求に対して、たとえば送信されたオブジェクトを受信した旨、またはクライアント機器９からの所定の指示に対する応答を返す。このようにクライアント機器９とサーバ機器１は、クライアント機器９が発する要求とそれに対するサーバ機器１の応答をやり取りすることによりオブジェクトをやり取りする。
【００２２】
図２に本実施形態におけるサーバ機器１の構成の一例を示す。
サーバ機器１はＢｌｕｅｔｏｏｔｈ管理部１０１、ＯＢＥＸコネクション管理部１０２、オブジェクト受信管理部１０３、記憶部１０４、受信オブジェクト数管理部１０５、フォルダ作成部１０６、オブジェクト保存先管理部１０７および制御部１１０を備えている。
【００２３】
Ｂｌｕｅｔｏｏｔｈ管理部１０１は、外部に存在する送信装置、たとえばクライアント機器９などの機器と、通信規格であるＢｌｕｅｔｏｏｔｈ規格に従った通信を行う機能を備えている。ＯＢＥＸコネクション管理部１０２はＢｌｕｅｔｏｏｔｈ管理部１０１を介してＯＢＥＸの規格に準じた通信を行う。ＯＢＥＸ規格は通信相手となる通信機器と接続（Ｃｏｎｎｅｃｔ）、送信（Ｐｕｔ）、受信（Ｇｅｔ）、切断（Ｄｉｓｃｏｎｎｅｃｔ）および強制切断（Ａｂｏｒｔ）などを行う機能を備えたプロトコルを規定したものである。
【００２４】
オブジェクト受信管理部１０３は、クライアント機器９が送信するオブジェクトの受信処理を遂行する機能と、情報として受信したオブジェクトをファイルやその他の形で記憶させる機能を有する。このときオブジェクト管理部１０３は受信したオブジェクトの名前を記憶しておく。記憶部１０４はフォルダ等の階層構造を持っており、オブジェクト受信管理部１０３からの指示を受けて、オブジェクト管理部１０３が受信処理したオブジェクトを格納する。ここでいうフォルダとは、情報を記憶する際に階層構造を持たせて格納することを可能とする構成を指す。よって、このような構成に準じるもの、たとえばディレクトリやパスと呼ばれる構成を有するものであっても本実施例を適用可能である。
【００２５】
受信オブジェクト数管理部１０５はオブジェクト受信管理部１０３が受信処理したオブジェクトの受信数を計数する。計数した数が所定の数値かどうかを検査し、それに応じた結果を出力する。
【００２６】
フォルダ作成部１０６は受信オブジェクト数管理部１０５からの指示によって、階層構造を持った記憶部１０４の内部にフォルダ等の階層構造を作成する旨の指示を行う。
【００２７】
オブジェクト保存先管理部１０７はオブジェクト受信管理部１０３から得られるオブジェクトの受信状況と、フォルダ作成部１０６から得られるフォルダの作成状況とによって、受信中のオブジェクトをどこに保存すればよいかを判断、記憶するとともに記憶装置１０４に対して指示する機能を有する。
【００２８】
制御部１１０はサーバ機器１が備える各構成の動作を制御する機能を有し、クライアント機器９からのオブジェクトの受信がサーバ機器１として正しく行われるように機能する。
【００２９】
次に本実施形態にかかるサーバ機器１の動作フローの一例を図３に従って説明する。
【００３０】
まずクライアント機器９がサーバ機器１に対して、オブジェクトを送信するためのコネクションの設定を要求する。この要求を受けてサーバ機器１のＢｌｕｅｔｏｏｔｈ管理部１０１とＯＢＥＸコネクション管理部１０２は、クライアント機器９とネゴシエーションしながらコネクションを設定する（Ｓ１）。
【００３１】
次に初期化処理（Ｓ２）が行われる。初期化処理は、受信オブジェクト数管理部１０５が保持する受信したオブジェクト数をゼロにするとともに、オブジェクト保存先管理部１０７がオブジェクトの保存先として記憶するカレントパスをルートフォルダに設定する。さらにオブジェクト受信管理部１０３が記憶する受信したオブジェクトの名前を消去する。ここでいうカレントパスとは、受信したオブジェクトを格納するときに使用されるフォルダの場所を表したものである。カレントパスはオブジェクト保存先管理部１０７の判断によって任意に変更が可能である。またルートフォルダとは記憶部１０４に作成されたもっとも基本的なフォルダの場所を表す。一般にフォルダは後から作成されることが多く、このためもっとも基本的なフォルダであるルートフォルダがカレントパスとして設定される場合が多い。
【００３２】
サーバ機器１は初期設定が終わると、クライアント機器９から何らかの要求が送信されてくるのを待つ（Ｓ３）。何らかの要求が受信されたならば、その要求を含むパケットをＢｌｕｅｔｏｏｔｈ管理部１０１によって受信し（Ｓ４）、次にその受信した要求がコネクションの切断を意味するＤｉｓｃｏｎｎｅｃｔ要求かどうかをＯＢＥＸコネクション管理部１０２によって判断する（Ｓ５）。このときＤｉｓｃｏｎｎｅｃｔ要求であったならば、サーバ機器１はクライアント機器９との間に設定したコネクションを切断する（Ｓ１３）。
【００３３】
Ｄｉｓｃｏｎｎｅｃｔ要求で無い場合、次にクライアント機器９がサーバ機器１に対してオブジェクトを送信したい旨を示すＰｕｔ要求であるかどうかを判断する（Ｓ６）。このときＰｕｔ要求以外の要求やあるいは正しく要求が受信されなかった場合には、ＯＢＥＸコネクション管理部１０２によってその要求が処理されるあるいはエラーの処理が成されて（Ｓ１４）、再びクライアント機器９から何らかの要求が送信されてくるのを待つ（Ｓ３）。
【００３４】
Ｐｕｔ要求が受信できた場合には、オブジェクト受信管理部１０３はクライアント機器９から送信されたオブジェクトを受信して静止画像などのオブジェクトを記憶部１０４に格納が可能な形に構成し、その受信したオブジェクトの名前を記憶する（Ｓ７）。次にオブジェクト受信管理部１０３は、オブジェクト保存先管理部１０７が記憶するカレントパスに従って、先に記憶したオブジェクトの名前を付したオブジェクトを、たとえばファイルなどの形で記憶部１０４上に記憶する（Ｓ８）。受信オブジェクトを記憶部１０４に格納した後、オブジェクト受信管理部１０３の指示により受信オブジェクト数管理部１０５が保持する受信したオブジェクト数を１増加させる（Ｓ９）。
【００３５】
このとき受信オブジェクト数管理部１０５は、自らが保持する受信したオブジェクト数が２かどうかを判断する（Ｓ１０）。保持する受信したオブジェクト数が２であったときは、受信オブジェクト管理部１０５はフォルダ作成部１０６に記憶部１０４上にフォルダを作成する旨の指示を行う（Ｓ１１）。これを受けたフォルダ作成部１０６は新規のフォルダを記憶部１０４上に作成し、さらにオブジェクト保存先管理部１０７に指示して作成後の当該フォルダを受信オブジェクトの格納先を示すカレントパスに設定させる（Ｓ１１）。
【００３６】
クライアント機器９とサーバ機器１の間にコネクションが設定されて後、最初に送られてきたオブジェクトが初期設定でカレントパスとしたルートフォルダに格納されたままになっているため、このルートフォルダに格納されたオブジェクトをカレントパス、つまりＳ１１で作成されたフォルダに移動する（Ｓ１２）。Ｓ１２を実行することによりフローの最初に設定（Ｓ１）したコネクションでクライアント機器９より受信したオブジェクトが、すべてＳ１１で作成されたフォルダに格納されることとなる。
【００３７】
Ｓ１２のステップ以降は再びクライアント機器９からの要求を待つ（Ｓ３）。
【００３８】
上記したように第１の実施形態に従った、静止画像等のオブジェクトを受信するサーバ機器とすれば、オブジェクトを送信するクライアント機器との間に設定した１コネクションの間に受信したオブジェクトをすべて一つのフォルダに自動的にまとめて格納することができる。よって他のコネクションによって受信したオブジェクトと、オブジェクトを受信する段階で分別することができ、受信後のオブジェクトの管理が容易になる。
【００３９】
また本実施形態のフローに従ったオブジェクト管理方法を採用したサーバ機器であっても同様の効果を得ることができる。さらにオブジェクトを送信する機能を備えたクライアント機器と本実施形態のサーバ機器とを備えたオブジェクト通信システムとしても実現可能である。
【００４０】
（第１の実施形態における第１の変形例）
図４に本実施形態のサーバ機器１に相当する、本変形例におけるサーバ機器２の構成の一例を示す。
【００４１】
サーバ機器１と比較したときのサーバ機器２との相違点は、タイマ部１０８をさらに備えることにある。フォルダ作成部１０６が記憶部１０４上に新規のフォルダを作成しようとするとき、タイマ部１０８はフォルダ作成部１０６の指示によりその時点での時刻情報をフォルダ作成部１０６に応答する。フォルダ作成部１０６はタイマ部１０８が応答した時刻情報からフォルダの名前として使用可能な名称を生成し、この名称をフォルダ名とする新規フォルダを作成する。
【００４２】
タイマ部１０８はフォルダ作成部１０６からの指示に対し、たとえば「２００２年４月１９日１８時３６分２８秒」といった時刻情報を応答したとする。これを受けたフォルダ作成部１０６はこの時刻情報から、たとえば「２００２＿０４＿１９＿１８＿３６＿２８」という名称を生成し、「２００２＿０４＿１９＿１８＿３６＿２８」という名前のフォルダを作成する。フォルダの名前の生成ルールは上記したものに限られず、適宜長さを調整したりあるいは接頭後、接尾語を付与するなどしてもよく、記憶部１０４上で識別可能な名称となっていればどのような名称であってもかまわない。
【００４３】
上記操作は図３に示した本実施形態の動作フローの一例のＳ１１で示されるステップにおける、新規フォルダ作成の際に実行される。
【００４４】
本変形例によって得られる効果は、本実施形態に係るサーバ機器、本実施形態のフローに従ったオブジェクト管理方法を採用したサーバ機器及びオブジェクトを送信する機能を備えたクライアント機器と本実施形態のサーバ機器とを備えたオブジェクト通信システムによって得られる効果に加え、フォルダを作成した時刻すなわち一連のオブジェクト群を受信したおおよその時刻が特定できることから、以後の受信オブジェクトの管理がさらに容易になる。
【００４５】
（第１の実施形態における第２の変形例）
図５に本実施形態のサーバ機器１に相当する、本変形例におけるサーバ機器３の構成の一例を示す。
【００４６】
サーバ機器１と比較したときのサーバ機器３との相違点は、フォルダ作成部１０６が記憶部１０４上に新規のフォルダを作成しようとするとき、フォルダ作成部１０６からの指示によりオブジェクト受信管理部１０３から受信したオブジェクトの名前を得て、この名前をフォルダ作成部１０６に伝えることにある。フォルダ作成部１０６はこの受け取った名前の情報を元にフォルダの名前として使用可能な名称を生成し、この名称をフォルダ名とする新規フォルダを作成する。
【００４７】
オブジェクト受信管理部１０３はフォルダ作成部１０６からの指示に対し、受信したオブジェクトの名前がたとえば「神戸の夜景．ｊｐｇ」であったときにはこの名称をフォルダ作成部１０６に応答する。するとフォルダ作成部１０６は、たとえば「神戸の夜景」という名称を生成し、この名前をもつ新規フォルダを作成する。このとき、フォルダの名前の生成ルールは上記したものに限られず、適宜長さを調整したりあるいは接頭後、接尾語を付与するなどしてもよく、記憶部１０４上で識別可能な名称となっていればどのような名称であってもかまわない。
【００４８】
上記操作は図３に示した本実施形態の動作フローの一例のＳ１１で示されるステップにおける、新規フォルダ作成の際に実行される。
【００４９】
本変形例によって得られる効果は、本実施形態に係るサーバ機器、本実施形態のフローに従ったオブジェクト管理方法を採用したサーバ機器及びオブジェクトを送信する機能を備えたクライアント機器と本実施形態のサーバ機器とを備えたオブジェクト通信システムによって得られる効果に加え、１のコネクション内で受信した所定のオブジェクトの名前をフォルダの名前とするため、そのコネクションで受信したオブジェクト群のおおよその内容が推測でき、以後の受信オブジェクトの管理がさらに容易になる。
【００５０】
（第１の実施形態における第３の変形例）
図３の本実施形態の動作フローに相当する、本変形例における動作フローの一例を図６に示す。
【００５１】
図３に示す動作フローと比較したときの図６に示す動作フローとの相違は、Ｓ８とＳ１０の処理順序である。図３の場合、受信したオブジェクトの数を判断（Ｓ１０）することなく、Ｓ８のステップで受信したオブジェクトを記憶部１０４上に格納している。しかしながら本変形例の動作フローを示す図６の場合は、受信したオブジェクトの数を判断（Ｓ１０）した後に、その受信したオブジェクトの数が２であるときにはＳ１１およびＳ１２ステップを実行している。
【００５２】
このときそれぞれのＳ１１のステップで行われるオブジェクト保存先管理部１０７が保持するカレントパスの設定が、実質的にはオブジェクト受信管理部１０３による２つ目の受信オブジェクト格納（Ｓ８）処理の前であるか、あるいは後であるかの点で相違してくる。
【００５３】
初期設定（Ｓ１）の段階でルートフォルダを示しているカレントパスには、図３の動作フローに従えばＳ１２のステップを処理しようとするとき、２つのオブジェクトが存在している。しかしながら図６の動作フローに従えば１つのオブジェクトのみが存在していることになる。
【００５４】
Ｓ１２のステップにおいてルートフォルダに存在するＳ１１のステップを実行する以前に受信されたこれらオブジェクトを、新規に作成したフォルダに移動しなければならないのであるから、図６に示す本変形例によればＳ１２の処理が軽減される。
【００５５】
（第２の実施形態）
図１に記載のサーバ機器１をサーバ機器４に置き換えたものが、第２の実施形態におけるオブジェクト通信システムの構成の一例を示す図である。同システムはサーバ機器４とクライアント機器９からなり、クライアント機器９はサーバ機器４に対してオブジェクトを送信する機能を有する。ここでいうオブジェクトとは静止画像等のファイルの形で電子的に通信可能な個々の情報を指す。
【００５６】
主にクライアント機器９がサーバ機器４に対してオブジェクトを送信する旨の要求を発することにより、サーバ機器４がクライアント機器９から送信されたオブジェクトを受信して、これをサーバ機器４内部の所定の場所に格納する。この構成においてサーバ機器４はクライアント機器９から送信されるオブジェクトの受信装置として機能する。
【００５７】
サーバ機器４はクライアント機器９からのオブジェクト送信要求等の要求に対して、たとえば送信されたオブジェクトを受信した旨、またはクライアント機器９からの所定の指示に対する応答を返す。このようにクライアント機器９とサーバ機器４は、クライアント機器９が発する要求とそれに対するサーバ機器４の応答をやり取りすることによりオブジェクトをやり取りする。
【００５８】
図７に本実施形態におけるサーバ機器４の構成の一例を示す。
サーバ機器４はＢｌｕｅｔｏｏｔｈ管理部１０１、ＯＢＥＸコネクション管理部１０２、オブジェクト受信管理部１０３、記憶部１０４、受信オブジェクト数管理部１０５、フォルダ作成部１０６、オブジェクト保存先管理部１０７、タイマ部１０８、時刻情報記憶部１０９および制御部１１０を備えている。
【００５９】
Ｂｌｕｅｔｏｏｔｈ管理部１０１は、外部に存在する送信装置、たとえばクライアント機器９などの機器と、通信規格であるＢｌｕｅｔｏｏｔｈ規格に従った通信を行う機能を備えている。ＯＢＥＸコネクション管理部１０２はＢｌｕｅｔｏｏｔｈ管理部１０１を介してＯＢＥＸの規格に準じた通信を行う。ＯＢＥＸ規格は通信相手となる通信機器と接続（Ｃｏｎｎｅｃｔ）、送信（Ｐｕｔ）、受信（Ｇｅｔ）、切断（Ｄｉｓｃｏｎｎｅｃｔ）および強制切断（Ａｂｏｒｔ）などを行う機能を備えたプロトコルを規定したものである。
【００６０】
オブジェクト受信管理部１０３は、クライアント機器９が送信するオブジェクトの受信処理を遂行する機能と、情報として受信したオブジェクトをファイルやその他の形で記憶させる機能を有する。このときオブジェクト管理部１０３は受信したオブジェクトの名前を記憶しておく。記憶部１０４はフォルダ等の階層構造を持っており、オブジェクト受信管理部１０３からの指示を受けて、オブジェクト管理部１０３が受信処理したオブジェクトを格納する。ここでいうフォルダとは、情報を記憶する際に階層構造を持たせて格納することを可能とする構成を指す。よって、このような構成に準じるもの、たとえばディレクトリやパスと呼ばれる構成を有するものであっても本実施例を適用可能である。
【００６１】
受信オブジェクト数管理部１０５はオブジェクト受信管理部１０３が受信処理したオブジェクトの受信数を計数する。計数した数が所定の数値かどうかを検査し、それに応じた結果を出力する。
【００６２】
フォルダ作成部１０６は受信オブジェクト数管理部１０５からの指示によって、階層構造を持った記憶部１０４の内部にフォルダ等の階層構造を作成する旨の指示を行う。
【００６３】
オブジェクト保存先管理部１０７はオブジェクト受信管理部１０３から得られるオブジェクトの受信状況と、フォルダ作成部１０６から得られるフォルダの作成状況とによって、受信中のオブジェクトをどこに保存すればよいかを判断、記憶するとともに記憶装置１０４に対して指示する機能を有する。
【００６４】
タイマ部１０８は時刻情報記憶部１０９から指示を受けると、所定の形式で指示された時点の時刻の情報を出力する。
【００６５】
時刻情報記憶部１０９はＯＢＥＸコネクション管理部１０２がクライアント機器９との間にコネクションを開始したときに受信オブジェクト数管理部１０５から指示を受け、この指示によってタイマ部１０８に問い合わせを行い、そこで得られた時刻情報を記憶する。
【００６６】
制御部１１０はサーバ機器４が備える各構成の動作を制御する機能を有し、クライアント機器９からのオブジェクトの受信がサーバ機器４として正しく行われるように機能する。
【００６７】
次に本実施形態にかかるサーバ機器４の動作フローの一例を図８に従って説明する。
【００６８】
まずクライアント機器９がサーバ機器４に対して、オブジェクトを送信するためのコネクションの設定を要求する。この要求を受けてサーバ機器１のＢｌｕｅｔｏｏｔｈ管理部１０１とＯＢＥＸコネクション管理部１０２は、クライアント機器９とネゴシエーションしながらコネクションを設定する（Ｓ１）。
【００６９】
次に初期化処理（Ｓ２）が行われる。初期化処理は、受信オブジェクト数管理部１０５が保持する受信したオブジェクト数をゼロにするとともに、オブジェクト保存先管理部１０７がオブジェクトの保存先として記憶するカレントパスをルートフォルダに設定する。さらにオブジェクト受信管理部１０３が記憶する受信したオブジェクトの名前を消去する。また、時刻情報管理部１０９が記憶する時刻情報をタイマ部１０８に問い合わせることで現時刻の情報に更新する。ここでいうカレントパスとは、受信したオブジェクトを格納するときに使用されるフォルダの場所を表したものである。カレントパスはオブジェクト保存先管理部１０７の判断によって任意に変更が可能である。またルートフォルダとは記憶部１０４に作成されたもっとも基本的なフォルダの場所を表す。一般にフォルダは後から作成されることが多く、このためもっとも基本的なフォルダであるルートフォルダがカレントパスとして設定される場合が多い。
【００７０】
サーバ機器４は初期設定が終わると、クライアント機器９から何らかの要求が送信されてくるのを待つ（Ｓ３）。何らかの要求が受信されたならば、その要求を含むパケットをＢｌｕｅｔｏｏｔｈ管理部１０１によって受信し（Ｓ４）、次にその受信した要求がコネクションの切断を意味するＤｉｓｃｏｎｎｅｃｔ要求かどうかをＯＢＥＸコネクション管理部１０２によって判断する（Ｓ５）。このときＤｉｓｃｏｎｎｅｃｔ要求であったならば、サーバ機器４はクライアント機器９との間に設定したコネクションを切断する（Ｓ１３）。
【００７１】
Ｄｉｓｃｏｎｎｅｃｔ要求で無い場合、次にクライアント機器９がサーバ機器４に対してオブジェクトを送信したい旨を示すＰｕｔ要求であるかどうかを判断する（Ｓ６）。このときＰｕｔ要求以外の要求やあるいは正しく要求が受信されなかった場合には、ＯＢＥＸコネクション管理部１０２によってその要求が処理されるあるいはエラーの処理が成されて（Ｓ１４）、再びクライアント機器９から何らかの要求が送信されてくるのを待つ（Ｓ３）。
【００７２】
Ｐｕｔ要求が受信できた場合には、オブジェクト受信管理部１０３はクライアント機器９から送信されたオブジェクトを受信して静止画像などのオブジェクトを記憶部１０４に格納が可能な形に構成し、その受信したオブジェクトの名前を記憶する（Ｓ７）。次にオブジェクト受信管理部１０３は、オブジェクト保存先管理部１０７が記憶するカレントパスに従って、先に記憶したオブジェクトの名前を付したオブジェクトを、たとえばファイルなどの形で記憶部１０４上に記憶する（Ｓ８）。受信オブジェクトを記憶部１０４に格納した後、オブジェクト受信管理部１０３の指示により受信オブジェクト数管理部１０５が保持する受信したオブジェクト数を１増加させる（Ｓ９）。
【００７３】
このとき受信オブジェクト数管理部１０５は、自らが保持する受信したオブジェクト数が２かどうかを判断する（Ｓ１０）。保持する受信したオブジェクト数が２であったときは、受信オブジェクト管理部１０５はフォルダ作成部１０６に記憶部１０４上にフォルダを作成する旨の指示を行う（Ｓ１１）。これを受けたフォルダ作成部１０６は時刻情報管理部１０９が記憶する時刻情報を元に所定のルールに従って名称を生成し、その名称を付した新規のフォルダを記憶部１０４上に作成する。そしてさらにオブジェクト保存先管理部１０７に指示して作成後の当該フォルダを受信オブジェクトの格納先を示すカレントパスに設定させる（Ｓ１１）。
【００７４】
クライアント機器９とサーバ機器４の間にコネクションが設定されて後、最初に送られてきたオブジェクトが初期設定でカレントパスとしたルートフォルダに格納されたままになっているため、このルートフォルダに格納されたオブジェクトをカレントパス、つまりＳ１１で作成されたフォルダに移動する（Ｓ１２）。Ｓ１２を実行することによりフローの最初に設定（Ｓ１）したコネクションでクライアント機器９より受信したオブジェクトが、すべてＳ１１で作成されたフォルダに格納されることとなる。
【００７５】
Ｓ１２のステップ以降は再びクライアント機器９からの要求を待つ（Ｓ３）。
【００７６】
上記したように第２の実施形態に従った、静止画像等のオブジェクトを受信するサーバ機器とすれば、オブジェクトを送信するクライアント機器との間に設定した１コネクションの間に受信したすべてのオブジェクトを、そのコネクションを開始した時刻の情報を名前に持つフォルダに自動的にまとめて格納することができる。よって他のコネクションによって受信したオブジェクトと、オブジェクトを受信する段階で分別することができ、フォルダの名前からオブジェクトを送信した時刻が推定できることからも受信後のオブジェクトの管理が容易になる。
【００７７】
また本実施形態のフローに従ったオブジェクト管理方法を採用したサーバ機器であっても同様の効果を得ることができる。さらにオブジェクトを送信する機能を備えたクライアント機器と本実施形態のサーバ機器とを備えたオブジェクト通信システムとしても実現可能である。
【００７８】
（第３の実施形態）
図１に記載のサーバ機器１をサーバ機器５に置き換えたものが、第３の実施形態におけるオブジェクト通信システムの構成の一例を示す図である。同システムはサーバ機器５とクライアント機器９からなり、クライアント機器９はサーバ機器５に対してオブジェクトを送信する機能を有する。ここでいうオブジェクトとは静止画像等のファイルの形で電子的に通信可能な個々の情報を指す。
【００７９】
主にクライアント機器９がサーバ機器５に対してオブジェクトを送信する旨の要求を発することにより、サーバ機器５がクライアント機器９から送信されたオブジェクトを受信して、これをサーバ機器５内部の所定の場所に格納する。この構成においてサーバ機器５はクライアント機器９から送信されるオブジェクトの受信装置として機能する。
【００８０】
サーバ機器５はクライアント機器９からのオブジェクト送信要求等の要求に対して、たとえば送信されたオブジェクトを受信した旨、またはクライアント機器９からの所定の指示に対する応答を返す。このようにクライアント機器９とサーバ機器５は、クライアント機器９が発する要求とそれに対するサーバ機器５の応答をやり取りすることによりオブジェクトをやり取りする。
【００８１】
図９に本実施形態におけるサーバ機器５の構成の一例を示す。
サーバ機器５はＢｌｕｅｔｏｏｔｈ管理部１０１、ＯＢＥＸコネクション管理部１０２、オブジェクト受信管理部１０３、記憶部１０４、フォルダ作成部１０６、オブジェクト保存先管理部１０７および制御部１１０を備えている。
【００８２】
Ｂｌｕｅｔｏｏｔｈ管理部１０１は、外部に存在する送信装置、たとえばクライアント機器９などの機器と、通信規格であるＢｌｕｅｔｏｏｔｈ規格に従った通信を行う機能を備えている。ＯＢＥＸコネクション管理部１０２はＢｌｕｅｔｏｏｔｈ管理部１０１を介してＯＢＥＸの規格に準じた通信を行う。ＯＢＥＸ規格は通信相手となる通信機器と接続（Ｃｏｎｎｅｃｔ）、送信（Ｐｕｔ）、受信（Ｇｅｔ）、切断（Ｄｉｓｃｏｎｎｅｃｔ）および強制切断（Ａｂｏｒｔ）などを行う機能を備えたプロトコルを規定したものである。
【００８３】
オブジェクト受信管理部１０３は、クライアント機器９が送信するオブジェクトの受信処理を遂行する機能と、情報として受信したオブジェクトをファイルやその他の形で記憶させる機能を有する。このときオブジェクト管理部１０３は受信したオブジェクトの名前を記憶しておく。記憶部１０４はフォルダ等の階層構造を持っており、オブジェクト受信管理部１０３からの指示を受けて、オブジェクト管理部１０３が受信処理したオブジェクトを格納する。ここでいうフォルダとは、情報を記憶する際に階層構造を持たせて格納することを可能とする構成を指す。よって、このような構成に準じるもの、たとえばディレクトリやパスと呼ばれる構成を有するものであっても本実施例を適用可能である。
【００８４】
フォルダ作成部１０６はオブジェクト受信管理部１０３からの指示によって、階層構造を持った記憶部１０４の内部にフォルダ等の階層構造を作成する旨の指示を行う。
【００８５】
オブジェクト保存先管理部１０７はオブジェクト受信管理部１０３から得られるオブジェクトの受信状況と、フォルダ作成部１０６から得られるフォルダの作成状況とによって、受信中のオブジェクトをどこに保存すればよいかを判断、記憶するとともに記憶装置１０４に対して指示する機能を有する。
【００８６】
制御部１１０はサーバ機器５が備える各構成の動作を制御する機能を有し、クライアント機器９からのオブジェクトの受信がサーバ機器５として正しく行われるように機能する。
【００８７】
次に本実施形態にかかるサーバ機器５の動作フローの一例を図１０に従って説明する。
【００８８】
まずクライアント機器９がサーバ機器５に対して、オブジェクトを送信するためのコネクションの設定を要求する。この要求を受けてサーバ機器５のＢｌｕｅｔｏｏｔｈ管理部１０１とＯＢＥＸコネクション管理部１０２は、クライアント機器９とネゴシエーションしながらコネクションを設定する（Ｓ１）。
【００８９】
次に初期化処理（Ｓ２）が行われる。初期化処理は、オブジェクト保存先管理部１０７がオブジェクトの保存先として記憶するカレントパスをルートフォルダに設定する。ここでいうカレントパスとは、受信したオブジェクトを格納するときに使用されるフォルダの場所を表したものである。カレントパスはオブジェクト保存先管理部１０７の判断によって任意に変更が可能である。またルートフォルダとは記憶部１０４に作成されたもっとも基本的なフォルダの場所を表す。一般にフォルダは後から作成されることが多く、もっとも基本的なフォルダであるルートフォルダがカレントパスとして設定される場合が多い。
【００９０】
サーバ機器５は初期設定が終わると、クライアント機器９から何らかの要求が送信されてくるのを待つ（Ｓ３）。何らかの要求が受信されたならば、その要求を含むパケットをＢｌｕｅｔｏｏｔｈ管理部１０１によって受信し（Ｓ４）、次にその受信した要求がコネクションの切断を意味するＤｉｓｃｏｎｎｅｃｔ要求かどうかをＯＢＥＸコネクション管理部１０２によって判断する（Ｓ５）。このときＤｉｓｃｏｎｎｅｃｔ要求であったならば、サーバ機器５はクライアント機器９との間に設定したコネクションを切断する（Ｓ１３）。
【００９１】
Ｄｉｓｃｏｎｎｅｃｔ要求で無い場合、次にクライアント機器９がサーバ機器５に対してオブジェクトを送信したい旨を示すＰｕｔ要求であるかどうかを判断する（Ｓ６）。このときＰｕｔ要求以外の要求やあるいは正しく要求が受信されなかった場合には、ＯＢＥＸコネクション管理部１０２によってその要求が処理されるあるいはエラーの処理が成されて（Ｓ１４）、再びクライアント機器９から何らかの要求が送信されてくるのを待つ（Ｓ３）。
【００９２】
Ｐｕｔ要求が受信できた場合には、フォルダ作成部１０６によって現在設定されているコネクションで最初に受信したオブジェクトかどうかを判断する（Ｓ１５）。このとき、現在のコネクションで最初に受信するオブジェクトであった場合には、フォルダ作成部１０６は新規のフォルダを記憶部１０４上に作成し、さらにオブジェクト保存先管理部１０７に指示して作成後の当該フォルダを受信オブジェクトの格納先を示すカレントパスに設定させる（Ｓ１１）。
【００９３】
最初に受信したオブジェクトでなかったときは、オブジェクト受信管理部１０３はクライアント機器９から送信されたオブジェクトを受信して静止画像などのオブジェクトを記憶部１０４に格納が可能な形に構成する（Ｓ１６）。次にオブジェクト受信管理部１０３は、オブジェクト保存先管理部１０７が記憶するカレントパスに従って、先に記憶したオブジェクトの名前を付したオブジェクトを、たとえばファイルなどの形で記憶部１０４上に記憶する（Ｓ８）。
【００９４】
Ｓ８のステップ以降は再びクライアント機器９からの要求を待つ（Ｓ３）。
【００９５】
上記したように第３の実施形態に従った、静止画像等のオブジェクトを受信するサーバ機器とすれば、オブジェクトを送信するクライアント機器との間に設定した１コネクションの間に受信したオブジェクトをすべて一つのフォルダに自動的にまとめて格納することができる。よって他のコネクションによって受信したオブジェクトと、オブジェクトを受信する段階で分別することができ、受信後のオブジェクトの管理が容易になる。
【００９６】
また本実施形態のフローに従ったオブジェクト管理方法を採用したサーバ機器であっても同様の効果を得ることができる。さらにオブジェクトを送信する機能を備えたクライアント機器と本実施形態のサーバ機器とを備えたオブジェクト通信システムとしても実現可能である。
【００９７】
本発明にかかる各実施形態のサーバ機器、オブジェクト通信システムおよびオブジェクト管理方法に含まれる構成要素について実質的に同様の機能を有するものに置き換えを行ったとしても、本発明の効果を得ることができる。
【００９８】
また本発明にかかるオブジェクト管理方法を実現するプログラム、およびこのプログラムを記憶した計算機によって読み出し可能な記憶媒体であっても同様に本発明の効果を得ることができる。
【００９９】
【発明の効果】
オブジェクトを受信するために設定される別個のコネクションを介して受信したオブジェクトのすべてが、一つの受信場所に格納されてしまうといった問題を解消するオブジェクト受信装置、オブジェクト管理方法およびオブジェクト通信システムを提供する。
【図面の簡単な説明】
【図１】本発明の第１の実施形態におけるオブジェクト通信システムの構成の一例を示す図
【図２】本発明の第１の実施形態におけるサーバ機器の構成の一例を示す図である。
【図３】本発明の第１の実施形態におけるサーバ機器の動作フローの一例を示す図である。
【図４】本発明の第１の実施形態の第１の変形例におけるサーバ機器の構成の一例を示す図である。
【図５】本発明の第１の実施形態の第２の変形例におけるサーバ機器の構成の一例を示す図である。
【図６】本発明の第１の実施形態の第３の変形例におけるサーバ機器の動作フローの一例を示す図である。
【図７】本発明の第２の実施形態におけるサーバ機器の構成の一例を示す図である。
【図８】本発明の第２の実施形態におけるサーバ機器の動作フローの一例を示す図である。
【図９】本発明の第３の実施形態におけるサーバ機器の構成の一例を示す図である。
【図１０】本発明の第３の実施形態におけるサーバ機器の動作フローの一例を示す図である。
【符号の説明】
１、２、３、４、５・・・　サーバ機器
９　　　　　　　　　・・・　クライアント機器
１０１　　　　　　　・・・　Ｂｌｕｅｔｏｏｔｈ管理部
１０２　　　　　　　・・・　ＯＢＥＸコネクション管理部
１０３　　　　　　　・・・　オブジェクト受信管理部
１０４　　　　　　　・・・　記憶部
１０５　　　　　　　・・・　受信オブジェクト数管理部
１０６　　　　　　　・・・　フォルダ作成部
１０７　　　　　　　・・・　オブジェクト保存先管理部
１０８　　　　　　　・・・　タイマ部
１０９　　　　　　　・・・　時刻情報記憶部
【図１】
2004094760.tif 000003
【図２】
2004094760.tif 000004
【図３】
2004094760.tif 000005
【図４】
2004094760.tif 000006
【図５】
2004094760.tif 000007
【図６】
2004094760.tif 000008
【図７】
2004094760.tif 000009
【図８】
2004094760.tif 000010
【図９】
2004094760.tif 000011
【図１０】
2004094760.tif 000012